(57)【要約】【課題】鋳物製であってもコストを抑えつつも汎用性が高い扉の装飾ユニット等を提供する。【解決手段】扉に上下に並べて配置される鋳物製の２つの装飾部材を有し、各々の前記装飾部材の一部を、前記扉の幅方向に並べて取り付け可能である。【選択図】図４
2020153151.tif 000002
【特許請求の範囲】
【請求項１】
扉に上下に並べて配置される鋳物製の２つの装飾部材を有し、
各々の前記装飾部材の一部を、前記扉の幅方向に並べて取り付け可能であることを特徴とする扉の装飾ユニット。
【請求項２】
請求項１に記載の扉の装飾ユニットであって、
前記２つの装飾部材は、前記幅方向に並ぶ部分の上下方向の長さを変更させて取り付け可能であることを特徴とする扉の装飾ユニット。
【請求項３】
請求項１または請求項２に記載の扉の装飾ユニットであって、
前記２つの装飾部材は、同一部材であることを特徴とする扉の装飾ユニット。
【請求項４】
請求項３に記載の扉の装飾ユニットであって、
各々の前記装飾部材は、上下方向における一方側の部位が他方側の部位より幅が狭く形成されており、
前記２つの装飾部材は、幅が狭い前記一方側の部位同士が、前記幅方向に並べて配置されることを特徴とする扉の装飾ユニット。
【請求項５】
請求項１乃至請求項４のいずれかに記載の扉の装飾ユニットと、
所定の幅を有し前記扉の装飾ユニットが配置される装飾領域を有する前記扉と、
を有し、
前記装飾領域に、各々の前記装飾部材の一部を前記幅方向に並べて取り付けられていることを特徴とする装飾付き扉。
【発明の詳細な説明】
【技術分野】
【０００１】
本発明は、扉の装飾ユニット、及び、装飾付き扉に関する。
【背景技術】
【０００２】
扉を装飾する扉の装飾ユニットとしては、例えば、ドア本体の一部に設けた開口部にガラスを装着し、当該ガラスを覆うように装着される飾り板が知られている（例えば、特許文献１参照）。この飾り板は、アルミニウム押し出し形材でなり、種々の飾り板を用意しておき、取り換えることによりドアの外観を異ならせることができる。また、扉の装飾部材として、より意匠性が高く、より高品位な鋳物製の装飾部材も存在する。
【先行技術文献】
【特許文献】
【０００３】
【特許文献１】特開平５−２８７９５９号公報
【発明の概要】
【発明が解決しようとする課題】
【０００４】
鋳物製の装飾部材は、例えばサイズを変更するために切断すると、光沢面が露出し他の表面と異なる部位が生じてしまうため意匠性が低下する。また、鋳物製の装飾部材は、コストが高いため扉のサイズに合わせて互いに異なるサイズの装飾部材を備えることは難しいという課題がある。
【０００５】
本発明は、かかる課題に鑑みてなされたものであり、その目的とするところは、鋳物製であってもコストを抑えつつも汎用性が高い扉の装飾ユニット、及び、装飾付き扉を提供することにある。
【課題を解決するための手段】
【０００６】
かかる目的を達成するために本発明の扉の装飾ユニットは、扉に上下に並べて配置される鋳物製の２つの装飾部材を有し、各々の前記装飾部材の一部を、前記扉の幅方向に並べて取り付け可能であることを特徴とする扉の装飾ユニットである。
本発明の他の特徴については、本明細書及び添付図面の記載により明らかにする。
【発明の効果】
【０００７】
本発明によれば、鋳物製であってもコストを抑えつつも汎用性が高い扉の装飾ユニット、及び、装飾付き扉を提供することが可能である。
【図面の簡単な説明】
【０００８】
【図１】本発明にかかる装飾付き扉の一例を示す外観図である。
【図２】本発明にかかる装飾付き扉の一例を示す横断面図である。
【図３】本発明にかかる装飾付き扉の一例を示す縦断面図である。
【図４】異なるサイズの扉に装飾ユニットを取り付ける例を説明する図である。
【図５】図２におけるＡ部の拡大図である。
【図６】装飾ユニットの変形例を示す模式図である。
【発明を実施するための形態】
【０００９】
以下、本発明の一実施形態に係る扉の装飾ユニット、及び、装飾付き扉について図面を参照して説明する。本実施形態では、装飾付き扉として、玄関に用いられ、図１に示すように、屋外側に装飾ユニット１が設けられている玄関扉２を例に挙げて説明する。
【００１０】
以下の説明においては、玄関扉（以下、扉という）２が建物に取り付けられている状態で屋外側から見たときに、上下となる方向を上下方向、左右となり扉２の幅となる方向を左右方向、屋内外方向である奥行き方向を見込み方向として示す。扉２及び装飾ユニット１の各部位であっても、また、扉２及び装飾ユニット１を構成する各部材については単体の状態であっても、扉２及び装飾ユニット１が取り付けられた状態で上下方向、左右方向、見込み方向等となる方向にて方向を特定して説明する。
【００１１】
扉２は、図２、図３に示すように、建物に取り付けられた枠体３にヒンジ３ａにより回動自在に支持される。扉２には、ガラス２０ａが嵌め込まれた採光窓２０が設けられており、扉２には屋外側に、屋外側の表面２ａから採光窓２０に亘って装飾ユニット１が設けられている。本実施形態の装飾ユニット１は、鋳物製の同一部材でなる２つの装飾部材１０を有している。
【００１２】
扉２は、外周部分に設けられ矩形状に接合された外周枠４、外周枠４の内側に配置されたパネル状の芯材５、及び、外周枠４と芯材５の屋外側及び屋内側の全面に貼り付けられ扉２の表面２ａをなす２枚の鋼板６と、採光窓２０のガラス２０ａと、ガラス２０ａを保持する窓枠７と、を有している。芯材５及び各鋼板６には、左右方向におけるほぼ中央に、縦に長い矩形状の開口５ａ、６ａが設けられており、採光窓２０が設けられる開口２ｂをなしている。
【００１３】
窓枠７は、屋内側に設けられる屋内枠７０と、屋外側に設けられる屋外枠７１と、化粧板７２と、を有し、ガラス２０ａは屋内枠７０、屋外枠７１及び化粧板７２により屋内外から押圧されて挟持されている。
【００１４】
屋内枠７０は、開口２ｂの周縁部を屋内側から覆い、左右方向に間隔を空けて設けられる２本の屋内縦枠７０ａ、及び、上下方向に間隔を空けて設けられる２本の屋内横枠７０ｂを有している。屋内縦枠７０ａと屋内横枠７０ｂとは、同一の押し出し成型部材である。２本の屋内縦枠７０ａ及び２本の屋内横枠７０ｂは、長手方向における両端部が各々、長手方向と４５°をなすように加工されており、隣り合う屋内縦枠７０ａと屋内横枠７０ｂとの端部同士が接合されて矩形状をなしている。
【００１５】
屋内縦枠７０ａ及び屋内横枠７０ｂは、開口２ｂの周縁部と見込み方向に対向する屋内周縁対向部７０ｃと、ガラス２０ａの周縁部と見込み方向に対向する屋内ガラス対向部７０ｄと、を有している。
【００１６】
屋内ガラス対向部７０ｄには、ガラス２０ａと対向する部位に軟質の合成樹脂でなるカラス保持部７０ｆが設けられている。屋内ガラス対向部７０ｄは、ガラス２０ａよりも外周側に延出された屋内外周延出部７０ｅを有しており、屋内外周延出部７０ｅを屋内側から屋外側に向かって貫通するねじ７３により屋外枠７１と接合される。
屋内縦枠７０ａ及び屋内横枠７０ｂには、ねじ７３を隠すための屋内枠カバー材７４が屋内側から各々嵌合されている。
【００１７】
屋外枠７１は、開口２ｂの周縁部の上下方向に沿う部位を屋外側から覆い、扉２の全長にわたり、左右方向に間隔を空けて２本設けられている。２本の屋外枠７１の間において、開口２ｂよりも上及び下の部位には、２本の屋外枠７１間に位置する鋼板６を屋外側から覆う化粧板７２が設けられている。２本の屋外枠７１間における開口２ｂよりも上及び下の部位では、化粧板７２が扉２の表面２ａとなる。
【００１８】
屋外枠７１は、押し出し成型部材であり、屋外側にてガラス２０ａと対向する位置から鋼板６と対向する位置まで繋がっている。屋外枠７１の左右方向の幅は、屋内縦枠７０ａの幅より広く、特に鋼板６と対向する部位がより広く形成されている。
【００１９】
屋外枠７１は、鋼板６と間隔を空けて対向する屋外面部７１ａを有し、屋外面部７１ａは、左右方向における中央側の部位が両端部よりも屋外側に僅かに窪むように湾曲している。屋外面部７１ａの左右方向における両端部には、ガラス２０ａと対向する側の端に設けられたガラス側延出壁部７１ｂと、鋼板６と対向する側の端に設けられた鋼板側延出壁部７１ｃと、を有している。
【００２０】
鋼板側延出壁部７１ｃは、先端部が開口２ｂ側に延出された先端延出部７１ｄを有しており、先端延出部７１ｄが鋼板６に当接されて、鋼板６と屋外面部７１ａとの間隔を確保している。ガラス側延出壁部７１ｂの先端には、軟質の合成樹脂でなるカラス保持部材８が嵌合されている。また、屋外面部７１ａには、鋼板６と屋外面部７１ａとの間隔を確保するためのリブ７１ｅが屋内側に突出させて設けられている。
【００２１】
カラス保持部材８が嵌合されているガラス側延出壁部７１ｂと、リブ７１ｅとの間には、ガラス２０ａよりも外周側にて開口２ｂに挿入され、ガラス２０ａより屋内側まで延出された屋外枠挿入片７１ｆが設けられている。屋外枠挿入片７１ｆの先端には、屋内縦枠７０ａの屋内外周延出部７０ｅに屋内側から屋外側に向かって貫通するねじ７３が螺合されるねじ螺合部７１ｇが設けられている。
【００２２】
化粧板７２は、左右に設けられる２本の屋外枠７１の屋外枠挿入片７１ｆ間よりも僅かに狭い幅に形成されている。化粧板７２の左右の端部は、左右の屋外枠７１の対向するガラス側延出壁部７１ｂの屋内側の部分に形成されている切り欠きから挿入され、屋外面部７１ａの屋内側に挿入されている。
【００２３】
化粧板７２は、開口２ｂの上側または下側の鋼板６と開口２ｂに設けられるガラス２０ａとに亘って配置され、鋼板６と間隔を空けて対向する化粧面部７２ａと、化粧面部７２ａのガラス２０ａと対向する側の縁から屋内側に延出された化粧板延出部７２ｂとを有しており、化粧面部７２ａの屋内側には、鋼板６と、化粧面部７２ａとの間隔を確保するためのリブ７２ｃが屋内側に突出させて設けられている。化粧板延出部７２ｂ先端には、軟質の合成樹脂でなるカラス保持部材８が嵌合されている。
【００２４】
化粧板延出部７２ｂと、リブ７２ｃとの間には、ガラス２０ａよりも外周側にて開口２ｂに挿入され、ガラス２０ａより屋内側まで延出された化粧板枠挿入片７２ｄが設けられている。化粧板枠挿入片７２ｄの先端には、屋内横枠７０ｂの屋内外周延出部７０ｅに屋内側から屋外側に向かって貫通するねじ７５が螺合されるねじ螺合部７２ｅが設けられている。
【００２５】
ガラス２０ａは、屋内縦枠７０ａの屋内外周延出部７０ｅを貫通するねじ７３が屋外枠挿入片７１ｆのねじ螺合部７１ｇに螺合され、屋内横枠７０ｂの屋内外周延出部７０ｅを貫通するねじ７５が化粧板枠挿入片７２ｄのねじ螺合部７２ｅに螺合されることにより、屋内枠７０、屋外枠７１及び化粧板７２により挟持されて保持されている。
【００２６】
装飾部材１０は、図４に示すように２本の屋外枠７１のガラス側延出壁部７１ｂの間であって、上下方向における扉２の全長に亘る領域Ｒに取り付けられている。本実施形態の装飾部材１０は、鋳物製であり、流線形状の意匠をなし、上下に並べて２つ取り付けられている。ここで、２本の屋外枠７１のガラス側延出壁部７１ｂの間であって、上下方向における扉２の全長に亘り、２つの装飾部材１０が取り付けられている領域Ｒが、装飾領域Ｒに相当する。
【００２７】
２つの装飾部材１０は、同一の部材であり、互いの上下を反転させて用いている。各装飾部材１０は、取り付けられている状態で、上下方向における一方側の幅が、２本の屋外枠７１のガラス側延出壁部７１ｂの間の幅とほぼ同じであり、上下方向における他方側には、２本の屋外枠７１のガラス側延出壁部７１ｂの間の幅のほぼ半分となる部位を有している。このため、２つの装飾部材１０は、扉２の表面に、互いの上下を反転させて上下方向に並べて配置する場合には、各々の装飾部材１０の一部となる花が狭い部位同士を扉２の幅方向に並べて配置可能である。以下の説明では、装飾部材１０の幅が広い側の部位を幅広部１０ａといい、幅が狭い側の部位を幅狭部１０ｂという。
【００２８】
２本の屋外枠７１のガラス側延出壁部７１ｂの間に配置される装飾部材１０は、ガラス側延出壁部７１ｂと隣接する部位（以下、屋外枠隣接部という）１０ｃが複数箇所設けられており、屋外枠隣接部１０ｃが連結金具９を介してガラス側延出壁部７１ｂに固定されている。
【００２９】
連結金具９は、図５に示すように、２つの板部９ａ、９ｂが直角に繋がり、断面がＬ字状をなす金具であり、一方の板部９ａが装飾部材１０の屋外枠隣接部１０ｃの屋内側にねじ止めされ、他方の板部９ｂが、屋外枠隣接部１０ｃが隣接している屋外枠７１のガラス側延出壁部７１ｂにねじ止めされている。一方の板部９ａは、屋内側から貫通するねじが直接螺合されており、他方の板部９ｂは、ガラス側延出壁部７１ｂに嵌合されたねじ螺合部材１１に螺合されて固定されている。このとき、一方の板部９ａは、屋外枠隣接部１０ｃの幅より小さく形成されており、屋外枠隣接部１０ｃに固定された状態では、屋外側から視認し難く構成されている。
【００３０】
ねじ螺合部材１１は、ねじが螺合可能な筒状部１１ａと、筒状部１１ａの一方の端部に設けられたフランジ１１ｂとを有している。ねじ螺合部材１１は、ガラス側延出壁部７１ｂに、筒状部１１ａの外径よりも僅かに大きな孔を形成し、形成した孔に筒状部１１ａを挿入してガラス側延出壁部７１ｂにフランジ１１ｂ当接させて配置する。配置されたフランジ１１ｂのガラス側延出壁部７１ｂとは反対側に他方の板部９ｂを当接させ、他方の板部９ｂを貫通するねじを筒状部１１ａに螺合させて連結金具９を固定する。このため、連結金具９及び連結金具９を介して固定される装飾部材１０は、上下方向の任意の位置に取り付けることが可能である。
【００３１】
図４の左図の例では、装飾領域Ｒに、２つの装飾部材１０の幅狭部１０ｂを、上下方向における中央側に向けて配置するとともに、各装飾部材１０の幅広部１０ａ側の端部を扉２の上端または下端に合わせて配置して固定している。このとき、２つの装飾部材１０の幅狭部１０ｂは、互いに扉２の幅方向において並べられている。
【００３２】
また、図４の右図の例では、図４の左図の例と同じ装飾部材１０を２つ用い、図４の左図の例の扉２よりも上下方向の長さが短い扉１２に取り付けている。この場合にも、装飾領域Ｒに、２つの装飾部材１０の幅狭部１０ｂを、上下方向における中央側に向けて配置するとともに、各装飾部材１０の幅広部１０ａ側の端部を扉２の上端または下端に合わせて配置して固定しているが、２つの装飾部材１０の幅狭部１０ｂの、互いに扉２の幅方向において並ぶ領域の長さＬが相違している。すなわち、図４の右図の例では、２つの装飾部材１０の取り付け位置を上下方向において近づけている。このため、２つの装飾部材１０の幅狭部１０ｂが、扉の幅方向に並ぶ領域の長さＬが、図４の左図の例よりも長くなっている。
【００３３】
本実施形態の装飾ユニット１によれば、上下方向に並ぶ２つの装飾部材１０の、扉２の幅方向に並ぶ領域の上下方向の長さＬを変更させて扉２に取り付けることにより、より様々なサイズの扉２に取り付けることが可能である。このため、上下方向の長さが互いに異なる扉２、１２であっても、同一の装飾ユニット１を取り付けることが可能である。このため、装飾部材１０が鋳物製であってもコストを抑えつつも汎用性が高い扉２の装飾ユニット１を提供することが可能である。
【００３４】
また、上下に並ぶ２つの装飾部材１０が同一部材なので、１種類の装飾部材１０を製造するだけでよい。このため、鋳物であっても１つの部材に対する型の製造代金の負担が軽減されるのでコストをより低く抑えることが可能である。
【００３５】
また、各装飾部材１０の上下方向における一方側の部位の幅が狭くなっているので、各々の装飾部材１０の一部を扉２の幅方向に並べて配置したとしても、幅方向に並ぶ部分における２つの装飾部材１０が占める領域の幅を狭く抑えることが可能である。このため、２つの装飾部材１０が幅方向に並んでいる幅狭部１０ｂと、各々の装飾部材１０の幅広部１０ａとの幅の差を小さく抑えることができるので、意匠性により優れた装飾を扉２に備えることが可能である。
【００３６】
また、２つの装飾部材１０は、一部が幅方向に並べて配置された状態で扉２の装飾領域Ｒ内に配置可能なので、装飾領域Ｒ内に複数の装飾部材１０を納めつつも、装飾部材１０が設けられる領域の上下方向の長さＬ２を調整することが可能である。このため、より意匠性に優れ汎用性が高い装飾ユニット１を備えた扉２、１２を提供することが可能である。
【００３７】
上下方向に並ぶ２つの装飾部材１０を、例えば、各々の装飾部材１０が扉２の幅方向に並ばないように、上下方向に並べて配置した場合と、各々の装飾部材１０の一部を扉２の幅方向に並ぶように配置した場合とで、装飾部材１０が配置される領域の上下方向の長さＬを異ならせることが可能である。
【００３８】
上記実施形態においては、同一の装飾部材１０を２つ用いた例について説明したが、これに限らず、互いに異なる装飾部材を用いても構わない。例えば、図６（ａ）は、上記実施形態ように同一の装飾部材を配置した例を模式化して示しているが、図６（ｂ）に示すように、上下に配置される装飾部材の幅狭部１０ｂの幅が互いに異なっていても構わない。
【００３９】
また、上記実施形態においては、装飾ユニット１が、２つの装飾部材１０を有している例について説明したが、上下に並べて配置される装飾部材１０が少なくとも２つ有していれば構わない。例えば、上下方向に並べて配置される２つの装飾部材の一部が、幅方向に隣り合うように配置可能であれば、図６（ｃ）に示すように、３つ以上の装飾部材を用いても構わない。
【００４０】
上記実施形態においては、２つの装飾部材１０の一部をなす幅狭部１０ｂが、幅方向に隣り合うように配置されている例について説明したが、これに限るものではない。例えば、扉の上下方向の長さが、装飾部材の上下方向の長さの２倍以上の長さを有している場合などには、複数の装飾部材を上下方向に間隔を空けて配置しても構わない。このため、上下方向に並ぶ２つの装飾部材１０を、例えば、各々の装飾部材１０が扉２の幅方向に並ばないように配置することも可能なので、より汎用性に優れている。また、装飾部材は、幅広部側の端部を必ずしも扉の端部に合わせて配置しなくとも構わない。
【００４１】
また、上記実施形態においては、装飾部材１０が、流線形状をなしている例について説明したが、これに限るものではない。
また、上記実施形態においては、扉をして玄関扉２を例に挙げて説明したがこれに限らず、玄関扉以外の扉であっても構わない。
【００４２】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【００４３】
本実施形態には、少なくとも以下の発明が含まれる。
扉に上下に並べて配置される鋳物製の２つの装飾部材を有し、各々の前記装飾部材の一部を、前記扉の幅方向に並べて取り付け可能であることを特徴とする扉の装飾ユニットである。
【００４４】
このような扉の装飾ユニットによれば、上下方向に並ぶ２つの装飾部材を、例えば、各々の装飾部材が扉の幅方向に並ばないように、上下方向に並べて配置したときと、各々の装飾部材の一部を扉の幅方向に並ぶように配置したときとで、装飾部材が配置される領域の上下方向の長さを異ならせることが可能である。このため、上下方向の長さが互いに異なる扉であっても、同一の装飾ユニットを取り付けることが可能である。このため、鋳物製であってもコストを抑えつつも汎用性が高い扉の装飾部材を提供することが可能である。
【００４５】
かかる扉の装飾ユニットであって、前記２つの装飾部材は、前記幅方向に並ぶ部分の上下方向の長さを変更させて取り付け可能であることを特徴とする。
このような扉の装飾ユニットによれば、上下方向に並ぶ２つの装飾部材の、幅方向に並ぶ部分の上下方向の長さを変更させて取り付けることにより、より様々なサイズの扉に取り付けることが可能である。このため、より汎用性が高い扉の装飾ユニットを提供することが可能である。
【００４６】
かかる扉の装飾ユニットであって、前記２つの装飾部材は、同一部材であることを特徴とする。
このような扉の装飾ユニットによれば、上下に並ぶ２つの装飾部材が同一部材なので、１種類の装飾部材を使用するので、鋳物であっても１つの部材に対する型の製造代金の負担が軽減するのでコストをより抑えることが可能である。
【００４７】
かかる扉の装飾ユニットであって、各々の前記装飾部材は、上下方向における一方側の部位が他方側の部位より幅が狭く形成されており、前記対をなす２つの装飾部材は、幅が狭い前記一方側の部位同士が、幅方向に並べて配置されることを特徴とする。
【００４８】
このような扉の装飾ユニットによれば、各装飾部材の上下方向における一方側の部位の幅が狭くなっているので、各々の装飾部材の一部を扉の幅方向に並べて配置したとしても、幅方向に並ぶ部分における２つの装飾部材が占める領域の幅を狭く抑えることが可能である。このため、２つの装飾部材が幅方向に並んでいる一方側部位と、各々の装飾部材の他方側の部位との幅の差を小さく抑えることができるので、意匠性に優れた装飾を扉に備えることが可能である。
【００４９】
また、上記扉の装飾ユニットと、所定の幅を有し前記扉の装飾ユニットが配置される装飾領域を有する前記扉と、を有し、前記装飾領域に、各々の前記装飾部材の一部を前記扉の幅方向に並べて取り付けられていることを特徴とする装飾付き扉である。
【００５０】
このような装飾付き扉によれば、２つの装飾部材は、幅方向に並べて配置された状態で装飾領域内に配置可能なので、装飾領域内に複数の装飾部材を納めつつも、装飾部材が設けられる領域の上下方向の長さを調整することが可能である。このため、より意匠性に優れ汎用性が高い装飾部材を備えた扉を提供することが可能である。
【符号の説明】
【００５１】
１  装飾ユニット、２  扉（玄関扉）、１０  装飾部材、
１０ａ  幅広部、１０ｂ  幅狭部
Ｒ  装飾領域
【図１】
2020153151.tif 000003
【図２】
2020153151.tif 000004
【図３】
2020153151.tif 000005
【図４】
2020153151.tif 000006
【図５】
2020153151.tif 000007
【図６】
2020153151.tif 000008